(57)【要約】【課題】光ファイバケーブルを屋内壁面や柱などの被固定部に、簡単に止めて保持することができる配線保持具を提供する。【解決手段】光ファイバケーブルを保持する配線保持部材１を、固着手段によって被固定部に固定し、光ファイバケーブルを配線保持部材１により保持する合成樹脂製の配線保持具である。配線保持部材１の保持面２には、光ファイバケーブルを嵌入させる縦保持溝４及び横保持溝３が縦横に形成され、縦保持溝４及び横保持溝３内の両側面には、多数のケーブル保持爪５が間隔をおいて突設されている。【選択図】図１
0003156518.tif 000002
【実用新案登録請求の範囲】
【請求項１】
光ファイバケーブルを保持する配線保持部材を、固着手段によって被固定部に固定し、該光ファイバケーブルを該配線保持部材により保持する合成樹脂製の配線保持具において、
該配線保持部材の保持面には、該光ファイバケーブルを嵌入させる縦保持溝及び横保持溝が縦横に形成され、該縦保持溝及び横保持溝内の両側面には、多数のケーブル保持爪が間隔をおいて突設されたことを特徴とする配線保持具。
【請求項２】
前記配線保持部材には、前記保持面を覆う蓋部材が着脱可能に設けられ、該蓋部材の内側に嵌着用脚部が突設され、該配線保持部材の該保持面には該嵌着用脚部を嵌入させる嵌着孔が設けられたことを特徴とする請求項１記載の配線保持具。
【請求項３】
前記配線保持部材には、２個の小鋲用孔が、被固定部への固定用に小鋲を挿入するために、相互に異なる方向に傾斜して設けられたことを特徴とする請求項１記載の配線保持具。
【請求項４】
前記配線保持部材には、２個の皿木ねじ用孔が皿木ねじを挿入するために設けられたことを特徴とする請求項１の配線保持具。
【考案の詳細な説明】
【技術分野】
【０００１】
本考案は、光ファイバケーブルを、主に屋内の壁面などに配線する際に使用する光ファイバケーブル用の配線保持具に関する。
【背景技術】
【０００２】
従来、電力線や通常の電話線を屋内の壁や柱に沿って配線する際に、ステップルが広く汎用的に使用されている。近年、電話配線について、光ファイバケーブルへの移行が促進されつつあり、電話加入者の宅内配線においても、光ファイバケーブルが敷設される場合が増加している。
【０００３】
光ファイバケーブルを電話加入者の宅内電話線に使用する場合、光ファイバケーブルを屋内や屋外の壁或いは柱に沿って配線する際、従来の電話線と同様に、ステップルを用いてケーブルを止めることになる。
【０００４】
しかし、電気配線や電話線用の従来のステップルを使用して、電気配線と同様に光ファイバケーブルを止める場合、金槌でステップルを打ち付けて光ファイバケーブルを止めることになり、金槌の打撃力やその衝撃がケーブルに直接印加される。このために、光ファイバケーブルの芯線は、金属線に比べ脆弱であるから、金槌の打撃力やその衝撃或いは釘による荷重を加えすぎると、光ファイバが破損し、或いは光伝送損失が増大する。
【先行技術文献】
【特許文献】
【０００５】
【特許文献１】特許第３８４１７０７号公報
【考案の概要】
【考案が解決しようとする課題】
【０００６】
そこで、本出願人は、光ファイバケーブルを壁や柱などに良好に止めて保持することができる配線保持具を、上記特許公報などで提案している。この配線保持具は、逆Ｕ字状のＵ字形釘と、Ｕ字形釘に装着される配線保持部材とを備え、Ｕ字形釘を被固定部に打ち付けて配線保持部材を介して配線を保持する構造であり、配線保持部材には、両側にＵ字形釘を挿入するための釘孔を設けた釘挿入部と、配線を収容するための保持用凹部が設けられ、配線と配線保持部材の上面を覆う押え蓋部が、ヒンジ部を介して開閉可能に配線保持部材と一体に設けられている。
【０００７】
この配線保持具は、光ファイバケーブルを配線保持部材の保持用凹部に収容し、その上から押え蓋部を閉じるようにして、光ファイバケーブルを良好に保持できるものの、光ファイバケーブルを配線保持部材の横方向にのみ保持する構造であり、捻れの生じた光ファイバケーブルを縦方向に配線したい場合、使用しにくい。
【０００８】
また、配線保持部材に対し押え蓋部がヒンジ部を介して開閉可能に設けられ、配線保持部材内の光ファイバケーブルを押え蓋部により押えて保持する構造のため、押え蓋部により配線保持部材の上面を必ず閉鎖する必要があり、配線保持部材のみで簡単に光ファイバケーブルを保持することができない。
【０００９】
本考案は、上記の点に鑑みてなされたもので、光ファイバケーブルを屋内壁面や柱など被固定部に、簡単に止めて保持することができる配線保持具を提供することを目的とする。
【課題を解決するための手段】
【００１０】
上記目的を達成するために、本考案の請求項１の配線保持具は、光ファイバケーブルを保持する配線保持部材を、固着手段によって被固定部に固定し、該光ファイバケーブルを該配線保持部材により保持する合成樹脂製の配線保持具において、該配線保持部材の保持面には、該光ファイバケーブルを嵌入させる横保持溝及び縦保持溝が縦横に形成され、該横保持溝及び縦保持溝内の両側面には、多数のケーブル保持爪が間隔をおいて突設されたことを特徴とする。
【００１１】
この考案によれば、屋内壁面など被固定部の配線予定位置に、両面接着テープなどの固着手段を用いて、配線保持部材を固定し、その配線保持部材の保持面に設けた横保持溝または縦保持溝内に、例えば細径で低摩擦の屋内用光ファイバケーブルを嵌め込むのみの簡単な作業で、当該光ファイバケーブルを屋内壁面などの被固定部に、傷つけることなく安全に、且つ極めて簡単に、配線固定することができる。また、配線保持部材の保持面に、横保持溝及び縦保持溝が縦横に形成されるので、壁面などで光ファイバケーブルを横から縦にまたは縦から横に曲げた際にも、ケーブルを良好に横保持溝及び縦保持溝に嵌め込み、保持することができる。
【００１２】
また、請求項２の考案は上記請求項１の配線保持具において、上記配線保持部材には、その保持面を覆う蓋部材が着脱可能に設けられ、該蓋部材の内側には嵌着用脚部が突設され、該配線保持部材の保持面には該嵌着用脚部を嵌入させる嵌着孔が設けられたことを特徴とする。
【００１３】
この考案によれば、配線保持部材の保持面に蓋部材を被嵌させることにより、光ファイバケーブルをより確実に保持することができる。
【００１４】
また、請求項３の考案は上記請求項１の配線保持具において、上記配線保持部材に、２個の小鋲用孔が、被固定部への固定用に小鋲を挿入するために、相互に異なる方向に傾斜して設けられたことを特徴とする。
【００１５】
この考案によれば、小鋲を小鋲用孔に挿入すると共に被固定部に圧入して、配線保持部材を被固定部に対し確実に固定することができる。
【００１６】
また、請求項４の考案は上記請求項１の配線保持具において、上記配線保持部材には、２個の皿木ねじ用孔が皿木ねじを挿入するために設けられたことを特徴とする。
【００１７】
この考案によれば、皿木ねじを皿木ねじ用孔に挿入して被固定部にねじ込み、配線保持部材を被固定部に対し強固に固定することができる。
【考案の効果】
【００１８】
本考案の配線保持具によれば、光ファイバケーブルを屋内に配線する際、屋内壁面や柱などの被固定部に、光ファイバケーブルを簡単に止めて保持することができる。
【図面の簡単な説明】
【００１９】
【図１】本考案の一実施形態を示す配線保持具の正面図である。
【図２】同配線保持具の右側面図である。
【図３】図１のIII-III断面図である。
【図４】図１のIV-IV断面図である。
【図５】同配線保持具の底面図である。
【図６】同配線保持具の左側面図である。
【図７】蓋部材の正面図である。
【図８】蓋部材の左側面図である。
【図９】蓋部材の背面図である。
【図１０】蓋部材の平面図である。
【図１１】図９のXI−XI断面図である。
【図１２】配線保持具の使用状態を示す底面図である。
【図１３】簡易型配線保持具の正面図である。
【図１４】同簡易型配線保持具の使用状態を示す左側面図である。
【図１５】出隅用配線保持具の正面図である。
【図１６】同出隅用配線保持具の平面図である。
【図１７】同出隅用配線保持具の使用状態を示す平面図である。
【図１８】配線保持具の使用状態を示す斜視図である。
【考案を実施するための形態】
【００２０】
以下、本考案の実施の形態を図面に基づいて説明する。図１は光ファイバケーブルＦを保持する配線保持具の正面図を、図２はその右側面図を示し、図３はその断面図を示している。この配線保持具は、細径で低摩擦の室内用光ファイバケーブルFを、室内壁面などに配線する際に使用する配線保持具であり、配線保持部材１を有し、配線保持部材１は、ポリカーボネート等の無色透明の合成樹脂により板状に成形されている。
【００２１】
この配線保持部材１上には、図１に示すように、光ファイバケーブルFを保持するための保持面２が形成され、その保持面２に横保持溝３及び縦保持溝４が縦方向、横方向に、且つ中央部で交差して各々直線状に形成されている。保持面２に形成された横保持溝３及び縦保持溝４には、光ファイバケーブルFが嵌入されるが、図２に示すように、横保持溝３には、光ファイバケーブルFがその幅広の平面を溝の底面に付けるように嵌入され、一方、縦保持溝４には、光ファイバケーブルＦがその幅狭の側面を溝の底面に付けるように嵌入され、ケーブルを保持するようになっている。
【００２２】
すなわち、細径で低摩擦の光ファイバケーブルＦは、その断面が長辺を約２ｍｍ、短辺を約１．６ｍｍとする略長方形状に形成され、室内の壁面に水平横方向に配線する際には、ケーブルの幅広の面を正面に向けて配線され、その水平横方向から壁面内で垂直縦方向に曲げると、光ファイバケーブルＦには約９０°の捻りが発生し、垂直縦方向に延びる光ファイバケーブルＦはその幅狭の側面を正面に向けて配線されることとなる。
【００２３】
このため、室内の壁面に水平横方向に配線される光ファイバケーブルＦを保持する場合、配線保持部材１の横保持溝３に光ファイバケーブルＦを、その幅広の平面を溝の底面に付けるように嵌入し、壁面に垂直横方向に配線される光ファイバケーブルＦを保持する場合、配線保持部材１の縦保持溝４に光ファイバケーブルＦを、その幅狭の側面を溝の底面に付けるように嵌入する。
【００２４】
またこのために、配線保持部材１の横保持溝３の溝幅は、図２に示すように、光ファイバケーブルＦの平面の幅に合わせて幅広に形成され、配線保持部材１の縦保持溝４の溝幅は、図３などに示すように、光ファイバケーブルＦの側面の幅に合わせて幅狭に形成されている。
【００２５】
さらに、光ファイバケーブルＦを上記横保持溝３、縦保持溝４内に容易に嵌め込み、且つ確実に溝内に保持可能なように、横保持溝３と縦保持溝４の内側両面には、多数のケーブル保持爪５が間隔をおいて突設されている。また、この溝内両側面のケーブル保持爪５は、相互に非対向位置に配置され、光ファイバケーブルFを横保持溝３または縦保持溝４内に嵌入した際、光ファイバケーブルＦを確実に挟持し把持する構造となっている。
【００２６】
さらに、図１に示す如く、配線保持部材１の保持面２には２個の小鋲用突部６ａが対角線上の離れた位置に突設され、２個の小鋲用突部６ａから配線保持部材１の本体部分にかけて、各々、小鋲用孔６が、相互に異なる斜め方向に傾斜して、貫通形成される。
【００２７】
小鋲用孔６は図１２に示すように、小鋲Ｎを挿入して壁面や柱などの被固定部に圧入するために設けられ、小鋲用突部６ａを保持面に突設することにより小鋲Ｎの保持性を向上させている。また、図１に示すように、２個の小鋲用突部６ａが配置される対角線上の内側位置近傍に、各々、嵌着孔８が形成される。この嵌着孔８は後述の蓋部材１０を配線保持部材１の保持面２に被嵌するために形成され、蓋部材１０の被嵌時、蓋部材１０の内側に突設した２本の嵌着用脚部１１がこの嵌着孔８に嵌入する構造である。
【００２８】
さらに、図１に示すように、配線保持部材１の保持面２の対角線上には、２個の皿木ねじ用孔７が両側に離れた位置に形成されている。この皿木ねじ用孔７は、皿木ねじを挿入して、壁面や柱などの被固定部にねじ込み固定できるように、設けられている。
【００２９】
このような配線保持部材１は、ポリカーボネート、ポリプロピレン等の無色透明の合成樹脂を用いて一体成形され、光ファイバケーブルＦを横保持溝３または縦保持溝４に嵌め込んだとき、微細な形状のケーブル保持爪５は弾性変形してケーブルを保持するように構成される。また、下記の蓋部材１０も同様の無色透明の合成樹脂により成形され、配線保持具が室内で目立たないようにしている。
【００３０】
上記構成の配線保持部材１は、それのみで、光ファイバケーブルＦを横保持溝３または縦保持溝４に嵌め込み、保持することができるが、より強固にまた確実に光ファイバケーブルＦを保持するために、蓋部材１０が用意されている。蓋部材１０は、図７〜図１１に示すように、配線保持部材１の保持面２を覆う板状に形成され、その内側には、２本の嵌着用脚部１１が、配線保持部材１の嵌着孔８に対応した位置に突設されている。
【００３１】
この嵌着用脚部１１は、図１０のように、上部に膨出部を設けると共に、縦に割り溝を設けて弾性変形可能に形成され、嵌着用脚部１１を配線保持部材１の嵌着孔８に嵌入したとき、内側に（縮径方向に）弾性変形して嵌着孔８内に嵌着され、蓋部材１０を配線保持部材１に対し強固に被嵌させる構造となっている。
【００３２】
さらに、蓋部材１０の内側には、図９に示すように、配線保持部材１の横保持溝３に対向した位置に、押え突条１４が設けられ、配線保持部材１の保持面２に蓋部材１０を被嵌したとき、押え突条１４が横保持溝３内の光ファイバケーブルＦを押えて保持するようになっている。
【００３３】
また、蓋部材１０の内側には、配線保持部材１の小鋲用突部６ａに対向した位置に、逃し孔１３が設けられ、配線保持部材１の保持面２に蓋部材１０を被嵌したとき、小鋲用突部６ａがその逃し孔１３に進入する。また、蓋部材１０の内側には、配線保持部材１の皿木ねじ用孔７に対向した位置に、大径の逃し孔１２が設けられ、配線保持部材１の保持面２に蓋部材１０を被嵌したとき、配線保持部材１を固定している皿木ねじの頭部を逃し孔１２に進入させて逃すようなっている。
【００３４】
上記構成の配線保持具は、屋内配線用の細径低摩擦の光ファイバケーブルＦを、室内の壁面、柱、天井等の被固定部に沿って配線する際に使用される。
【００３５】
光ファイバケーブルＦを室内の壁面などに配線する場合、先ず、配線保持具の配線保持部材１を壁面の配線予定位置に、図１２に示す如く、小鋲Ｎを用いて固定する。この際、２本の小鋲Ｎを配線保持部材１の各小鋲用孔６に挿入し、そのまま壁面に圧入して固定するが、２個の小鋲用孔６は相互に異なる方向に傾斜して形成されるため、２本の小鋲Ｎであっても、強固に配線保持部材１を固定することができる。
【００３６】
また、小鋲Ｎはハンマーなどを使用せずに、コインなどを用いて簡単に壁面に圧入することができ、工具を使用することなく、非常に簡単に配線保持部材１を壁面の配線予定位置に固定することができる。
【００３７】
配線保持部材１は、壁面等の被固定部の配線予定位置に沿って、複数個が一定の間隔をおいて固定されるが、上述のように、光ファイバケーブルＦを壁面に沿ってその幅広の平面を正面に向けて配線する場合、光ファイバケーブルＦは配線保持部材１の横保持溝３内に嵌め込まれ、保持されるので、横保持溝３を配線予定方向に沿わせて複数の配線保持部材１を配置し固定することとなる。
【００３８】
そして、これらの配線保持部材１を壁面などの被固定部に固定した状態で、光ファイバケーブルFを、図２、図１２に示す如く、その幅広の平面を溝の底面に付けるように押し込み、横保持溝３内にケーブルを嵌着する。横保持溝３内に押し込まれた光ファイバケーブルFは、横保持溝３内で、その両側に突設されたケーブル保持爪５により挟持されるため、ケーブルを溝内に押し込むだけの簡単な作業で、安定して確実に保持することができる。
【００３９】
一方、光ファイバケーブルＦを壁面内で、その幅広な平面を正面として、例えば水平横方向から垂直縦方向に曲げて配線する場合、長方形断面を有し且つ剛性を有した光ファイバケーブルＦは、曲げ部分で約９０°の捻りが生じやすい。このため、ケーブルを壁面内で曲げて配線する場合、曲げた後の縦に延びる光ファイバケーブルＦは、その幅狭の側面を正面に向けて配線することとなる。このため、上述のように、光ファイバケーブルＦは配線保持部材１の幅狭の縦保持溝４内に押し込まれる。これにより、光ファイバケーブルＦはその幅狭の側面を溝内の底面に付けるように縦保持溝４内に嵌め込まれ、捻れが生じた光ファイバケーブルFであっても、図３，４などに示すように、配線保持部材１の縦保持溝４内に良好に保持することができる。
【００４０】
ところで、配線予定位置に固定された複数の配線保持部材１の横保持溝３または縦保持溝４内に光ファイバケーブルＦを嵌入しただけで、光ファイバケーブルＦを保持することができるが、より確実に保持するために、上述のように、蓋部材１０を配線保持部材１の保持面２に被嵌させる。
【００４１】
蓋部材１０の内側には、嵌着用脚部１１が突設され、配線保持部材１には嵌着孔８が形成されるため、蓋部材１０を持って配線保持部材１の保持面２に嵌め込むように押し付けるだけで、２本の嵌着用脚部１１が配線保持部材１の嵌着孔８に嵌入し、蓋部材１０を配線保持部材１に対し容易に嵌着することができる。また、この蓋部材１０の嵌着時、蓋部材１０の押え突条１４が配線保持部材１の横保持溝３内の光ファイバケーブルＦを上から押さえ、さらに安定してケーブルを保持することができる。
【００４２】
なお、上記では、配線保持部材１を壁面などの被固定部に、小鋲Ｎを用いて固定したが、皿木ねじを用いて固定することもでき、皿木ねじを用いて配線保持部材１を固定する場合、配線保持部材１の皿木ねじ用孔７に、図示しない皿木ねじを差し込み、そのまま壁面などにねじ込んで固定することとなる。また、小鋲や皿木ねじに代えて両面接着テープを使用することもでき、両面接着テープを配線保持部材１の背面に接着し、それを被固定部に接着して配線保持部材１を固着することができる。
【００４３】
また、上記実施形態の説明では、光ファイバケーブルＦを配線保持部材１のみにより、壁面等の被固定部に保持したが、複数の配線保持部材１を比較的広い間隔で固定し、配線保持部材１と配線保持部材１との間は、図１３、図１４に示すような、簡易型配線保持具２０によりケーブルを保持することもできる。
【００４４】
簡易型配線保持具２０は、図１３、図１４に示す如く、板状本体の中央横方向に段差部を設けて、透明合成樹脂により一体成形され、その段差部の内側に形成される凹部内に、保持部２１が光ファイバケーブルＦを収容し保持するように形成される。簡易型配線保持具２０の下部の板状部分は、取付板部２２を構成し、この取付板部２２に、正面から汎用のステイプル針Ｓを打込み、被固定部に固定するようになっている。
【００４５】
この簡易型配線保持具２０によれば、汎用のステイプラーを使用して、ステイプル針Ｓを取付板部２２に打込み、配線予定位置に非常に簡単に固定することができ、固定した後、光ファイバケーブルＦをその保持部２１内に挿入し、壁面と保持部２１との間でケーブルを挟持するように保持することができる。また、この簡易型配線保持具２０も上記と同様に、ステイプル針Ｓに代えて両面接着テープにより被固定部に固着することもできる。
【００４６】
さらに、光ファイバケーブルＦを室内の壁面などの出隅の角部に配線する場合、光ファイバケーブルＦの最小曲げ曲率を確保するために、出隅用配線保持具３０を、図１７のように、出隅の角部に固定し、その出隅用配線保持具３０により光ファイバケーブルＦを最小曲げ曲率以内の曲率で曲げて保持する。
【００４７】
この出隅用配線保持具３０は、図１５、図１６に示すように、ヒンジ部３２を介して２個の円弧状保持部３１を、透明合成樹脂により一体成形して構成され、円弧状保持部３１には、円弧状の保持溝３３が形成される。この円弧状の保持溝３３の曲率は光ファイバケーブルＦの最小曲げ曲率より大きい曲率で形成され、図１７に示すように、出隅用配線保持具３０は、出隅の角部に両面接着テープを用いて、ヒンジ部３２を介して略直角に曲げるようにして固定される。
【００４８】
光ファイバケーブルＦは、図１７に示すように、円弧状保持部３１の保持溝３３に嵌入して、出隅の角部に沿って配線した場合、光ファイバケーブルＦの最小曲げ曲率を確保しながらケーブルを曲げて保持することができる。
【００４９】
上記の配線保持部材１、簡易型配線保持具２０、及び出隅用配線保持具３０は、屋内の壁面等に沿って光ファイバケーブルＦを配線する際、共に使用して光ファイバケーブルＦを保持することができ、例えば、図１８に示すように、配線保持部材１は比較的間隔を広くあけて配置し、それらの配線保持部材１と配線保持部材１間に簡易型配線保持具２０を配置し、ケーブルが出隅の角部を通る箇所には、出隅用配線保持具３０を固定する。
【００５０】
このように、上記配線保持部材１、簡易型配線保持具２０、及び出隅用配線保持具３０を用いることにより、光ファイバケーブルＦを、室内壁面などの被固定部に簡単に配線保持することができ、これらの配線保持部材１、簡易型配線保持具２０、及び出隅用配線保持具３０は、金槌を必要とする釘などを使用せずに固定できるため、金槌の衝撃力や打撃力を光ファイバケーブルに印加する虞がなく、配線時の光ファイバの破損や光伝送損失の増加を防止することができる。また、配線保持部材１、簡易型配線保持具２０、及び出隅用配線保持具３０は、小鋲Ｎ、ステイプル針Ｓ、或いは両面接着テープにより固定することができるので、特別な工具を用いることなく、コインや汎用のステイプラーを用いて光ファイバケーブルの配線を行なうことができる。
【符号の説明】
【００５１】
１      配線保持部材
２      保持面
３      横保持溝
４      縦保持溝
５      ケーブル保持爪
６      小鋲用孔
６ａ    小鋲用突部
７      皿木ねじ用孔
８      嵌着孔
１０    蓋部材
１１    嵌着用脚部
１４    押え突条
【図１】
0003156518.tif 000003
【図２】
0003156518.tif 000004
【図３】
0003156518.tif 000005
【図４】
0003156518.tif 000006
【図５】
0003156518.tif 000007
【図６】
0003156518.tif 000008
【図７】
0003156518.tif 000009
【図８】
0003156518.tif 000010
【図９】
0003156518.tif 000011
【図１０】
0003156518.tif 000012
【図１１】
0003156518.tif 000013
【図１２】
0003156518.tif 000014
【図１３】
0003156518.tif 000015
【図１４】
0003156518.tif 000016
【図１５】
0003156518.tif 000017
【図１６】
0003156518.tif 000018
【図１７】
0003156518.tif 000019
【図１８】
0003156518.tif 000020